【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
導管取り付け部品であって、以下：
第１取り付け構成部品と；
導管握持装置と；
該第１取り付け構成部品に結合することで、該導管握持装置に導管を握持させ、組み立てが完了するとこれを密封させることができる第２取り付け構成部品とを備え、
該第２取り付け構成部品が、組み立ての際に該第１取り付け構成部品の先細りした面に係合する部分を有する、
導管取り付け部品。
【請求項２】
前記第２取り付け構成部品の前記部分と前記第１取り付け構成部品の先細りした面との間の係合によって、前記取り付け部品のプルアップを継続するために必要なトルクの量が急激に上昇する、請求項１に記載の導管取り付け部品。
【請求項３】
前記第１取り付け構成部品が、中心軸に沿って導管端部を受容するように構成されている、請求項１に記載の導管取り付け部品。
【請求項４】
前記第１取り付け構成部品の先細りした面に係合する取り付け構成部品の前記部分が、先細りである、請求項１に記載の導管取り付け部品。
【請求項５】
前記第１取り付け構成部品の先細りした面の角度によって、前記導管取り付け部品が作り直され得る、請求項１に記載の導管取り付け部品。
【請求項６】
前記取り付け部品の適切なプルアップが、前記第２取り付け構成部品に対して前記第１取り付け構成部品の軸位置を測定することによって決定され得る、請求項１に記載の導管取り付け部品。
【請求項７】
前記第１取り付け構成部品および前記第２取り付け構成部品の少なくとも１つが、前記取り付け部品が適切にプルアップされているという表示を組み立て作業者に提供する構造を備える、請求項１に記載の導管取り付け部品。
【請求項８】
前記第１取り付け構成部品の先細りした面が、該第１取り付け構成部品の内部面である、請求項１に記載の導管取り付け部品。
【請求項９】
前記第１取り付け構成部品の先細りした面に係合する前記第２取り付け構成部品の前記部分が、該第２取り付け構成部品の雄ねじの少なくとも部分的に半径方向内側に配置される、請求項１に記載の導管取り付け部品。
【請求項１０】
前記第１取り付け構成部品の先細りした面が、前記第１取り付け構成部品の外部面である、請求項１に記載の導管取り付け部品。
【請求項１１】
前記第１取り付け構成部品の先細りした面に係合する前記第２取り付け構成部品の前記部分が、該第２取り付け構成部品の雄ねじの少なくとも部分的に半径方向外側に配置される、請求項１に記載の導管取り付け部品。
【請求項１２】
組み立ての際に前記第１取り付け構成部品の先細りした面と係合する、前記第２取り付け構成部品の前記部分は、前記第２取り付け構成部品の前端部で半径方向外方で先細りする面である、請求項１に記載の導管取り付け部品。
【請求項１３】
前記第２取り付け構成部品上の先細りした面は、中心軸から約４５°で角度付けされている、請求項１に記載の導管取り付け部品。
【請求項１４】
前記先細りした面は、前記第２取り付け構成部品の工具係合部分上に配置されている、請求項１に記載の導管取り付け部品。
【請求項１５】
前記先細りした面は、概して軸方向へ延びるカートリッジ上に配置されている、請求項１に記載の導管取り付け部品。
【請求項１６】
導管取り付け部品であって、以下：
中心軸に沿って導管端部を受容するように構成された第１取り付け構成部品と；
ノーズ部分と半径方向に延びるフランジとを含んでいる導管握持装置と；
該第１取り付け構成部品に結合することで、該導管握持装置に導管を握持させ、組み立てが完了するとこれを密封させることができる第２取り付け構成部品とを備え、
該第２取り付け構成部品が、組み立ての際に該導管握持装置の半径方向に延びるフランジに係合し、該半径方向に延びるフランジと該第１取り付け構成部品の先細りした面に係合させる部分を有する、
導管取り付け部品。
【請求項１７】
前記半径方向に延びるフランジと前記第１取り付け構成部品の先細りした面との間の係合によって、前記取り付け部品のプルアップを継続するために必要なトルクの量が急激に上昇する、請求項１６に記載の導管取り付け部品。
【請求項１８】
前記第１取り付け構成部品の先細りした面の角度によって、前記導管取り付け部品が作り直され得る、請求項１６に記載の導管取り付け部品。
【請求項１９】
前記第２取り付け構成部品上の先細りした面は、中心軸から約４５°で角度付けされている、請求項１６に記載の導管取り付け部品。
【請求項２０】
前記取り付け部品の適切なプルアップが、前記第２取り付け構成部品に対して前記第１取り付け構成部品の軸位置を測定することによって決定され得る、請求項１６に記載の導管取り付け部品。
【請求項２１】
前記第１取り付け構成部品および前記第２取り付け構成部品の少なくとも１つが、前記取り付け部品が適切にプルアップされているという表示を組み立て作業者に提供する構造を備える、請求項１６に記載の導管取り付け部品。
【請求項２２】
導管取り付け部品を複数回プルアップする方法であって、以下：
導管を第１取り付け構成部品および導管握持装置内に挿入する工程；
第１トルクを第２取り付け構成部品に適用して、該第２取り付け構成部品を該第１取り付け構成部品に結合する工程；
該第１トルクの適用が所定の第１プルアップ値に達していることを検出し、該第２取り付け構成部品が、該第１取り付け構成部品に対して、該導管握持装置が適切に握持し、該導管を密封する第１プルアップ位置に移動していることを決定する工程；および
該取り付け部品を作り直す工程、
を包含する、方法。
【請求項２３】
前記取り付け部品を作り直す工程が、以下：
前記第２取り付け構成部品を前記第１取り付け構成部品から緩める工程：および
第２トルクを第２取り付け構成部品に適用して、該第２取り付け構成部品を前記第１取り付け構成部品へと再び締め付け、該第２取り付け構成部品を該第１取り付け構成部品に対して、前記第１プル位置を越えて、導管握持装置が適切に該導管を握持し密封する第２プルアップ位置に移動させる工程、
を包含する、方法。
【請求項２４】
前記第２取り付け構成部品に対して前記第１取り付け構成部品の軸位置を測定することによって、前記第１プルアップ位置を確認する工程をさらに包含する、請求項２２に記載の方法。
【請求項２５】
前記第１プルアップ位置を確認するために固有ゲージを提供する工程をさらに包含する、請求項２２に記載の方法。
【請求項２６】
前記第２トルクの適用が所定の値に達していることを検出して、前記取り付け部品が、第２プルアップ位置に移動していることを決定する工程をさらに包含する、請求項２３に記載の方法。
【請求項２７】
前記第２トルクの適用が第２の所定の値に達していることを検出して、前記取り付け部品が、第２プルアップ位置に移動していることを決定する工程をさらに包含する、請求項２３に記載の方法。
【請求項２８】
前記第１トルクの適用がトルクレンチを用いて検出される、請求項２２に記載の方法。
【請求項２９】
前記第２トルクの適用がトルクレンチを用いて検出される、請求項２６に記載の方法。
【請求項３０】
前記第２トルクの適用がトルクレンチを用いて検出される、請求項２７に記載の方法。
【請求項３１】
取り付け部品をプルアップする方法であって、以下：
第１取り付け構成部品、第２取り付け構成部品および導管握持装置を、導管上に組み立てて、取り付け組み立て品を形成する工程；
該導管取り付け部品を、導管握持装置を該導管上で受容可能に握持し、密封するトルク値にプルアップする工程；
該取り付け組み立て品を作り直す工程、
を包含する、方法。
【請求項３２】
導管取り付け部品であって、以下：
第１取り付け構成部品および第２取り付け構成部品であって、該第１取り付け構成部品と該第２取り付け構成部品との間の導管握持装置とともに導管上に組み立てられる、第１取り付け構成部品および第２取り付け構成部品、
を備え、
該第１取り付け構成部品および該第２取り付け構成部品が、該取り付け部品のプルアップの間、互いに係合し、その結果、該第１取り付け構成部品および該第２取り付け構成部品に適用される所定のプルアップトルクが、プルアップ取り付け部品に対応し、第１取り付け構成部品と第２取り付け構成部品との間の係合によって、該取り付け部品が作りなされ得る、
導管取り付け部品。